(57)【要約】【課題】ストリップ階段を用いることで、住宅の施工作業が安全で、上階と下階の行き来が容易にでき、また、下階床面に容易にフローリング材を設置できる等、住宅の施工作業を効率良く進めること。【解決手段】あらかじめ下階の床面Ａに、ささら桁位置決め用の受け材６を取り付けておき、ささら桁２の下面には、受け材６を収容可能にする凹部２ｃを形成し、ささら桁２の凹部２ｃに受け材６をはめ込むことによって、ストリップ階段１を組み付ける方法であって、受け材６の高さを、ささら桁２の凹部２ｃに受け材６をはめ込んだときに、ささら桁２の下面と床面Ａとの間にフローリング材Ｆの厚みｔ分すき間ｇがあくように設定しておくことを特徴とするストリップ階段１を用いた住宅の施工方法。【選択図】図１
2005256300.tif 000002
【特許請求の範囲】
【請求項１】
上下階に渡って斜めに架設されるささら桁と、このささら桁に当該ささら桁の長手方向にそれぞれ所定間隔で設けられた段板支持部材と、これら段板支持部材にそれぞれ支持された複数の段板とを主体として構成されたストリップ階段を、上階の組立て後、階段の据え付け位置に、下階から架け渡し、建築現場において、足場として用いるようにした住宅の施工方法において、
あらかじめ下階の床面に、ささら桁位置決め用の受け材を取り付けておき、ささら桁の下面には、前記受け材を収容可能にする凹部を形成し、ささら桁の凹部に前記受け材をはめ込むことによって、ストリップ階段を組み付ける方法であって、
前記受け材の高さを、ささら桁の凹部に前記受け材をはめ込んだときに、ささら桁の下面と床面との間にフローリング材の厚み分すき間があくように設定しておくことを特徴とするストリップ階段を用いた住宅の施工方法。
【請求項２】
請求項１に記載のストリップ階段を用いた住宅の施工方法であって、
下階の床面にフローリング材を敷く際に、受け材を取り付けたまま、ささら桁の下面と床面とのすき間にフローリング材を差し込んで、床面の仕上げをすることを特徴とするストリップ階段を用いた住宅の施工方法。
【請求項３】
請求項１に記載のストリップ階段を用いた住宅の施工方法であって、
下階の床面にフローリング材を敷く際に、受け材を取り外し、ささら桁の下面と床面とのすき間にフローリング材を差し込み、その後、ささら桁の凹部に位置決め用の受け材をはめ込んで、ささら桁を位置決め用の受け材ごと、床面に固定することを特徴とするストリップ階段を用いた住宅の施工方法。
【請求項４】
上下階に渡って斜めに架設されるささら桁と、このささら桁に当該ささら桁の長手方向にそれぞれ所定間隔で設けられた段板支持部材と、これら段板支持部材にそれぞれ支持された複数の段板とを主体として構成されたストリップ階段において、
下階の床面には、ささら桁位置決め用の受け材が設けられ、ささら桁の下面には、前記受け材を収容可能にする凹部が形成され、ささら桁の凹部に前記受け材をはめ込むことによって、ささら桁を組み付ける構造であって、
前記受け材の高さは、ささら桁の凹部に前記受け材をはめ込んだときに、ささら桁の下面と床面との間にフローリング材の厚み分すき間があくように設定されていることを特徴とするストリップ階段の取付構造。
【発明の詳細な説明】
【技術分野】
【０００１】
本発明は、住宅の室内に設けられるストリップ階段を用いた住宅の施工方法およびストリップ階段の取付構造に関する。
【背景技術】
【０００２】
住宅の室内階段として、ストリップ階段が知られている。このストリップ階段は、２枚のささら桁に複数枚の段板を取り付け、これらの段板に手摺りを取り付けて構成されているもので、段板は、ささら桁の上面に釘打ち等により取り付けられた、例えば三角形状の段板支持部材に取り付けられている（例えば、特許文献１参照）。
【０００３】
このようなストリップ階段は、居室内の見映えを良くすることや、通風性または採光などにも優れ、昨今では需要が高まっている。
【０００４】
ところで、２階建て以上の住宅を施工する際には、躯体を構築した後、階段は後から組み付けるという方法が行われる場合があり、特に、ストリップ階段のような意匠性の高い階段を取り付ける場合においては、階段は、室内の内装をする際に組み付ける方法がとられていた。
【特許文献１】特開平１１−３０３２１６号公報
【発明の開示】
【発明が解決しようとする課題】
【０００５】
ところが、このような施工方法の場合、上階には階段が設置されるまで、階段取り付けのための開口部を手摺り等で囲って、人が開口部から落ちないようにしなければならなかった。
【０００６】
また、階段が設置されるまでの間、上階の施工を進めるためには、仮の昇降手段として梯子などを架け渡して上がらなければならず、例えば、物を持っての昇降などが不便であり、その改善が望まれていた。
【０００７】
なお、梯子などに代えて、最初から上階と下階に養生した階段を設置しておく方法とすれば、前述した施工上の問題を解決することができるが、階段下の床の仕上げ等をする際に、階段を取り外してしなければならず、施工に手間がかかるという難点がある。
【０００８】
本発明の課題は、ストリップ階段を、住宅施工時に最初から組み付けても、この階段を取り外すことなく、階段下の床の仕上げ作業を行うことができ、これにより、施工作業を安全に進めることができるとともに、上階と下階の行き来が容易にでき、住宅の施工作業を効率良く進めることができるストリップ階段を用いた住宅の施工方法およびストリップ階段の取付構造を提供することを目的とする。
【課題を解決するための手段】
【０００９】
請求項１記載の発明は、上下階に渡って斜めに架設されるささら桁２と、このささら桁２に当該ささら桁２の長手方向にそれぞれ所定間隔で設けられた段板支持部材３と、これら段板支持部材３にそれぞれ支持された複数の段板４とを主体として構成したストリップ階段１を、上階の組立て後、階段の据え付け位置に、下階から架け渡し、建築現場において、足場として用いるようにした住宅の施工方法において、
あらかじめ下階の床面Ａに、ささら桁位置決め用の受け材６を取り付けておき、ささら桁２の下面には、前記受け材６を収容可能にする凹部２ｃを形成し、ささら桁２の凹部２ｃに前記受け材６をはめ込むことによって、ストリップ階段１を組み付ける方法であって、
前記受け材６の高さを、ささら桁２の凹部２ｃに前記受け材６をはめ込んだときに、ささら桁２の下面と床面Ａとの間にフローリング材Ｆの厚みｔ分すき間ｇがあくように設定しておくことを前記課題の解決手段とした。
【００１０】
請求項１記載の発明によれば、前記段板支持部材３と一体的に形成したささら桁２と、これら段板支持部材３に支持された複数の段板４とを主体として構成したストリップ階段１を、住宅の上階部分の組立て後、上下階に架け渡して足場とするため、施工時に梯子など用いることなく昇降手段を確保でき、しかも、この階段１は、ささら桁２下面の凹部に床面上Ａの受け材６をはめ込むことにより、簡単に取り付けられる上、受け材６の高さが、フローリング材Ｆの厚みｔ分、ささら桁下面との間にすき間ｇをあけるような大きさに形成してあるため、フローリング材Ｆの取り付けスペースを確保できる。
【００１１】
請求項２記載の発明は、下階の床面Ａにフローリング材Ｆを敷く際に、受け材６ａを取り付けたまま、ささら桁２の下面と床面Ａとのすき間ｇにフローリング材Ｆを差し込んで、床面Ａの仕上げをすることを前記課題の解決手段とした。
【００１２】
請求項２記載の発明によれば、フローリング材Ｆを差し込むスペースを確保でき、受け材６ａを取り付けたまま、ささら桁２の下面と床面Ａとのすき間ｇにフローリング材Ｆを差し込んで、床面Ａを仕上げるため、施工上の手間がかかることが無い。
【００１３】
請求項３記載の発明は、下階の床面Ａにフローリング材Ｆを敷く際に、受け材６ｂを取り外し、ささら桁２の下面と床面Ａとのすき間ｇにフローリング材Ｆを差し込み、その後、ささら桁２の凹部２ｃに位置決め用の受け材６ｃをはめ込んで、ささら桁２を位置決め用の受け材６ｃごと、床面Ａに固定することを前記課題の解決手段とした。
【００１４】
請求項３記載の発明によれば、前記受け材６ｂを取り外すことで、フローリング材Ｆの厚みｔ分のすき間があくので、フローリング材Ｆを差し込むスペースがささら桁２の下面と床面Ａとの間にすき間を確保でき、また、フローリング材Ｆの敷きこみに際して受け材６ｂが干渉することなく、フローリング仕上げの施工を容易にできる。
【００１５】
請求項４記載の発明は、上下階に渡って斜めに架設されるささら桁２と、このささら桁２に当該ささら桁２の長手方向にそれぞれ所定間隔で設けられた段板支持部材３と、これら段板支持部材３にそれぞれ支持された複数の段板４とを主体として構成したストリップ階段１において、
下階の床面Ａには、ささら桁位置決め用の受け材６を設け、ささら桁２の下面には、前記受け材６を収容可能にする凹部２ｃを形成し、ささら桁２の凹部２ｃに前記受け材６をはめ込むことによって、ささら桁２を組み付ける構造であって、
前記受け材６の高さは、ささら桁２の凹部２ｃに前記受け材６をはめ込んだときに、ささら桁２の下面と床面Ａとの間にフローリング材Ｆの厚みｔ分すき間ｇがあくように設定することを前記課題の解決手段とした。
【００１６】
請求項４記載の発明によれば、下階の床面Ａに、ささら桁位置決め用の受け材６を取り付けておき、ささら桁２の下面に形成した凹部２ｃに、この受け材６とを嵌め込むことによってストリップ階段１を組み付けできる。
さらに、このささら桁位置決め用の受け材６の高さが、ささら桁２の下面と床面Ａとの間にフローリング材Ｆの厚みｔ分すき間ｇがあくように設定してあるため、フローリング材Ｆを差し込むスペースを確保することができ、これにより、階段１を取り付けた状態でフローリング材Ｆの施工が可能になる。
【発明の効果】
【００１７】
請求項１記載の発明によれば、ストリップ階段１を上下階に架け渡し、建築現場における足場とすることで、住宅の施工作業、特に上階開口部付近の施工作業の安全を高めることができ、また、このストリップ階段１を利用して、上階と下階とを容易に行き来することができる。
さらに、ささら桁位置決め用の受け材６の高さを、ささら桁２の下面と床面Ａとの間にフローリング材Ｆの厚みｔ分すき間ｇがあくように設定しておくことによって、フローリング材Ｆを差し込むスペースを確保でき、下階の床面Ａに、フローリング材Ｆを容易に敷くことができるので、住宅の施工作業を効率良く進めることができる。
【００１８】
請求項２記載の発明によれば、前記受け材６ａの高さを、フローリング材Ｆの厚みｔ分のすき間があくように設定しておき、受け材６ａを取り付けたまま、ささら桁２の下面と床面Ａとのすき間ｇに、容易にフローリング材Ｆを差し込むことができるので、フローリング材Ｆによる仕上げ作業を効率良く進めることができる。
【００１９】
請求項３記載の発明によれば、前記受け材６ｂを取り外すことで、フローリング材Ｆの厚みｔ分のすき間があくので、フローリング材Ｆを差し込むスペースを確保でき、また、受け材６ｂに干渉されることなく、容易にフローリング材Ｆを設置することができる。
【００２０】
請求項４記載の発明によれば、下階の床面Ａに、ささら桁位置決め用の受け材６を取り付けておき、ささら桁２の下面には、前記受け材６を収容可能にする凹部２ｃを形成して、これら受け材６と凹部２ｃを嵌め合わせることによって、ストリップ階段１を容易に組み付けできる取付構造を提供することができる。
さらに、このささら桁位置決め用の受け材６の高さを、ささら桁２の下面と床面Ａとの間にフローリング材Ｆの厚みｔ分すき間ｇがあくように設定しておくことによって、ささら桁２の下面と床面Ａとの間に、フローリング材Ｆを差し込めるので、フローリング材Ｆによる仕上げ作業を効率良く進めることが可能な取付構造を提供することができる。
【発明を実施するための最良の形態】
【００２１】
以下、図を参照して本発明のストリップ階段１を用いた住宅の施工方法およびストリップ階段１の取付構造の実施の形態を詳細に説明する。
【００２２】
ここで用いられるストリップ階段１は、上下階に渡って斜めに架設されるささら桁２と、このささら桁２に当該ささら桁２の長手方向にそれぞれ所定間隔で設けられた段板支持部材３と、これら段板支持部材３にそれぞれ支持された複数の段板４とを主体として構成されている。
【００２３】
前記ささら桁２は、図１に示すように、登り方向に向かって右側および左側の左右２本のささら桁２が用いられ、上側の傾斜面２ａには、複数の段板支持部３が設けられている。
【００２４】
また、このささら桁２の上端には、上階部分の、階段の据え付け位置に設けられたささら受け体５の嵌合部５ａに嵌まり合う突出部２ｂが設けられ、下端には、ささら桁位置決め用の受け材６ａを収容可能にする凹部２ｃが設けられている。
【００２５】
さらに、このささら桁２は、外装部材であるささら桁カバー９によって被覆されて、継ぎ目が見えないように形成されている。
【００２６】
なお、左右勝手違いに形成されているのみで、構成はほぼ同じなので、以下には右側のささら桁２で詳細を説明する。
【００２７】
前記段板支持部３は、例えば、ＮＣ（Numerical Control）制御等により加工する機械加工によって、ささら桁２と一体的に切り出して形成されている。
【００２８】
そして、この段板支持部３は、図２（ａ）に示すように、傾斜面２ａに突出して設けられており、その上面は、ささら桁２を建物躯体に取り付けた際に、水平になるように形成されている。また、段板支持部３の上面には、前後方向に長い、ほぼ直方体形状の溝３ａが設けられている。
【００２９】
なお、溝３ａの位置は上面の左右いずれかの端に設けてもよいし、また図３（ａ）に示すように上面の中央に設けてもよい。
【００３０】
前記突出部２ｂは、図４および図５に示すように、ささら桁２の上端部に設けられて、上階の階段の据え付け位置に設けられたささら受け体５の嵌合部５ａに嵌まり合う形状に形成されている。
【００３１】
また、このささら受け体５は、図５に示すように、上階の開口部に面して、かつ、床面Ａパネルの端部に設けられている。さらに、その端部の中央寄りに、前記ささら桁２の突出部２ｂが引っ掛かって嵌め込まれるように、嵌合部５ａが２箇所に設けられている。
【００３２】
前記凹部２ｃは、図４に示すように、ささら桁２の下端部分の下面に設けられて、ささら桁位置決め用の受け材６が収容可能であるように形成されている。
【００３３】
また、この位置決め用の受け材６ａは、図６（ａ）に示すように、下階床面Ａ上の、ささら桁２が設置されるべき位置にあらかじめ設けられて、かつ、この受け材６ａを取り付けたまま床面Ａにフローリング材Ｆを差し込めるように、フローリング材Ｆの厚みｔ分すき間ｇがあけられて高く設定されている。
【００３４】
さらに、図６（ｂ）に示すように、受け材６ｂは、下階床面Ａ上の、ささら桁２が設置されるべき位置にあらかじめ設けられて、フローリング材Ｆを敷く際には、この受け材６ｂを取り外してからフローリング材Ｆを差し込めるように、この受け材６ｂの厚みｔはフローリング材Ｆと同じ寸法に形成されている。
【００３５】
前記段板４は、図２（ｂ）に示すように、下面の、ささら桁２側の中央部に、斜面７ａ、及び鉛直面７ｂからなる切欠き７が設けられている。段板４がささら桁２に取り付けられた状態では、切欠き７はささら桁２と係合される。
【００３６】
また、斜面７ａは前後方向に傾斜しており、その傾斜は建物躯体に取り付けられるささら桁２の傾斜面２ａの傾斜に等しい。斜面７ａは切欠き７がささら桁２に係合した状態で、傾斜面２ａに当接するように設けられている。
【００３７】
鉛直面７ｂの幅は、ささら桁２の幅に等しく、切欠き７がささら桁２と係合された状態で、側面２ｄに当接するように設けられている。
【００３８】
さらに、段板４の下面の切欠き７よりも後方には、前後方向に長い、ほぼ直方体形状の取り付け部材８が設けられている。取り付け部材８の幅は、ささら桁２の段板支持部３の溝３ａの幅とほぼ等しく、取り付け部材８は溝３ａと係合される。前後方向に長い溝３ａに前後方向に長い取り付け部材８が係合されることで、段板４のささら桁２に対する横方向の位置及び角度が決められる。
【００３９】
なお、取り付け部材８の長さや高さは、溝３ａと同程度であることが好ましい。取り付け部材８の長さや高さが溝３ａと同程度であると、段板４をささら桁２に取り付けた後に残るすき間が少なく、接触面積が大きくなる。このため、段板４とささら桁２との固定に接着剤を使用する場合には、接着面積を大きく取ることができる。
【００４０】
また、取り付け部材８の位置は、段板支持部３の溝３ａの位置に合わせて設けられており、図２（ｂ）では切欠き７の左右いずれかの端の後方に設けられているが、例えば図３（ａ）のように段板支持部３の上面の中央に溝３ａが設けられている場合には、図３（ｂ）のように切欠き７の後方の相当する位置に設ければよい。
【００４１】
そして、段板４もまた、ＮＣ制御されたフライス等を利用して、取り付け部材８と一体に成形することができる。この取り付け部材８は木ビス等で段板４に取り付けてもよい。
【００４２】
なお、段板４は、図２（ｂ）及び図３（ｂ）では直方体形状に記載されているが、平板状であれば、円形や楕円形など、任意の形状とすることができる。
【００４３】
前記ささら桁カバー９は、図７（ａ）に示すように、合成樹脂製で、例えばオレフィン製シートを合板に接着して形成された複合合板であるＷS（木質シリーズ）オレフィン合板で形成され、図７（ｂ）に示すように、ささら桁２を覆ったときの継ぎ目が、両ささら桁２の間に向けられて見えない構成となっている。
このささら桁カバー９の表面には、前記段板支持部３を挿通可能とする複数の穴部９ａがあけられている。これらの穴部９ａも、段板支持部３等と同じようにＮＣ加工等の機械加工であけることができる。
【００４４】
また、図７（ｃ）に示すように、ささら桁カバー９の折り部Ｄには、折り線を挟んで両側に、折り部Ｄに所定の厚さを残して厚さ方向の一方側から他方側に向かってα°、例えば４５°の角度でカットしたＶカット部Ｋが形成されている。そのため、ささら桁カバー９を折り曲げたとき、折り線Ｍを挟んだ両側の切欠部Ｋが接触し合い、これにより、ささら桁カバー９に多少の厚みｔがあっても、容易に、かつ正確に折り曲げることができる。
【００４５】
さらに、各段板支持部３、および各段板４などの可視部分すべてにも、前記ＷSオレフィン合板で形成された外装部材であるカバーが被せられるようになっている。
【００４６】
なお、段板支持部３に被せられるカバーは、図示はしていないが、ささら桁２と段板４との間の見える部分に対して被せることができるように形成されている。
【００４７】
一方、段板４に被せられる段板カバー１０は、例えば、図８（ａ）に示すような展開構造に形成された段板カバー１０が、図８（ｂ）に示すように、段板４全体を覆うように被せられて、継ぎ目などが見えないように構成されている。この段板カバー１０は、本実施の形態では上記構成の段板カバー１０が用いられているが、段板４に被せることができ、かつ、外観品質および機能を高めることができれば、上記構成の段板カバー１０に限られるものではない。
【００４８】
次に、上記のような構成のストリップ階段１１の取付構造について説明する。
【００４９】
まず、複数の段板支持部３を備えたささら桁２を、図４および図５に示すように建物躯体に取り付ける。この時、あらかじめ前記ささら桁カバー９がささら桁２に被せられて、ささら桁２が被覆されていると好ましい。
【００５０】
そして、ささら桁２の上端の突出部２ｂは、上階に設けたささら受け体５の嵌合部５ａに固定する。嵌合部５ａへの固定は、図５に示すように、両者を嵌め合わせて固定する。あるいは任意で、ボルト等で固定してもよい。
【００５１】
一方、ささら桁２の下端は、ささら下端の下面に設けられた凹部２ｃを、下階の床面Ａにあらかじめ設置された受け材６ａに嵌め合わせて、図示はしないが、ビス等を用いて床面Ａに取り付ける。
【００５２】
また、受け材６ａに替えて、受け材６ｂを用いてささら桁２を取り付けても良い。この場合、床面Ａの所定の位置にあらかじめ設けた受け材６ｂに、ささら桁２を載置して、ビス等により仮固定をする。
【００５３】
なお、どちらの受け材６を用いるかは、現場の施工状況や住宅の構造等で判断し、最適な方を用いることが好ましい。
【００５４】
次に、ささら桁２を上下階に渡って取り付けたら、段板４をささら桁２の段板支持部３に順次取り付ける。
【００５５】
まず、ささら桁２の段板支持部３の溝３ａに、取り付け部材８を係合させる。すると段板４のささら桁２に対する横方向の位置及び角度が決まるとともに、段板４の下面と段板支持部３の上面とが当接して上下位置が決まるので、前後方向にのみ移動自在となる。
次に、段板４の斜面７ａをささら桁２の傾斜面２ａと当接させると、図２（ｃ）または図３（ｃ）に示すように、段板４のささら桁２に対する前後位置が決まる。
【００５６】
段板４の位置が決まったら、ささら桁２と段板４とをビス等で固定する。なお、固定をする際に、接着剤を併用してもよい。残りの段板４についても同様にしてささら桁２に固定する。
【００５７】
全ての段板４をささら桁２に取り付けたら、必要に応じて手摺り１１を取り付ける。手摺り１１を設ける場合には、段板４の手摺り１１を設けるべき位置に手摺り取り付け用の穴をあけ、それとともに、後の工程でこの段板４を被覆する段板カバー１０の同位置にも手摺り取り付け用の穴をあける。
【００５８】
また、この段板カバー１０は、住宅の施工中における傷付きなどを防ぐために、完工直前に取り付けることが好ましい。一方、前記段板支持部３に被せられるカバーは、段板４の下部に設けられるので、取り付ける順序は、必要に応じて任意の順序で取り付けることが好ましい。
【００５９】
このような取付構造を、上階の開口部の足場および上階と下階との昇降手段として設置したら、次に、ストリップ階段１付近の下階の床面Ａを施工する。
【００６０】
下階の床面Ａにフローリング材Ｆを敷く際には、フローリング材Ｆの厚みｔ分すき間ｇがあけられて高く設定された受け材６ａを用いるので、この受け材６ａを取り付けたまま、ささら桁２の下面と床面Ａとのすき間ｇにフローリング材Ｆを差し込んで、床面Ａの仕上げをする。
【００６１】
また、他の実施の形態として、フローリング材Ｆの厚みｔ分に設定した受け材６ｂを用いる。
フローリング材Ｆを敷く際には、この受け材６ｂを取り外し、ささら桁２の下面と床面Ａとのすき間ｇにフローリング材Ｆを差し込み、その後、ささら桁２の凹部２ｃに位置決め用の受け材６ｃをはめ込んで、ささら桁２を位置決め用の受け材６ｃごと床面Ａに固定する。
【００６２】
いずれかの方法を用いて下階床面Ａの施工を行うことで、床面Ａに、容易にフローリング材Ｆを設置することができ、かつ、施工中の足場や昇降手段として設置したストリップ階段１を取り付けたまま住宅の施工を進めることができるので、住宅の施工作業を効率良く進めることができる。
【実施例】
【００６３】
以下、図を参照して本発明のストリップ階段１を用いた住宅の施工方法の実施例を詳細に説明する。上記実施の形態では、ストリップ階段１を設置したまま床面Ａを施工する方法を記載したが、本実施例では、ストリップ階段１を設置したまま階段付近の壁面Ｂを施工する方法を説明する。
【００６４】
本実施例に用いるストリップ階段１では、上下階に渡って斜めに架設される前記ささら桁２と、このささら桁２に当該ささら桁２の長手方向にそれぞれ所定間隔で設けられた前記段板支持部材３と、これら段板支持部材３に支持される複数の仮段板１２とが主体として構成されている。
なお、前記ささら桁２および複数の段板支持部材３は、上記実施の形態に用いられた構成と同様のものを用いるので、本実施例では説明を省略する。
【００６５】
前記複数の仮段板１２は、図２（ｂ）に示す段板４と同様に、下面の、ささら桁２側の中央部に、斜面７ａ、及び鉛直面７ｂからなる切欠き７が設けられている。仮段板１２がささら桁２に取り付けられた状態では、切欠き７はささら桁２と係合される。
【００６６】
また、斜面７ａは前後方向に傾斜しており、その傾斜は建物躯体に取り付けられるささら桁２の傾斜面２ａの傾斜に等しい。斜面７ａは切欠き７がささら桁２に係合した状態で、傾斜面２ａに当接するように設けられている。
【００６７】
鉛直面７ｂの幅は、ささら桁２の幅に等しく、切欠き７がささら桁２と係合された状態で、側面２ｄに当接するように設けられている。
【００６８】
さらに、仮段板１２の下面の切欠き７よりも後方には、前後方向に長い、ほぼ直方体形状の取り付け部材８が設けられている。
【００６９】
そして、この仮段板１２の板幅は、図９に示すように、壁面Ｂに耐火性の石膏ボードや、壁紙を貼り付けるために、前記段板４の板幅よりも、幅方向中央寄りに短い寸法で構成されており、仮段板１２の端部から壁面Ｂまでのすき間が広くなるように設定されている。
【００７０】
次に、このような構成の仮段板１２を、ビス等を用いてささら桁２に取り付ける。そして、このささら桁２を上階と下階に架け渡して階段を設置することで、仮段板１２と壁面Ｂとの間に、石膏ボードや、壁紙を容易に貼り付けできるような広いすき間を形成することができる。
【００７１】
また、壁面Ｂに石膏ボードや壁紙を貼り付けて施工が終了した後は、住宅の完工直前に段板４と交換することによって、段板４に傷をつけることなく下階の壁の施工効率を向上させることができるので好ましい。さらに、この仮段板１２は使い回すことができ、材料の節約につなげることができるので好ましい。
【００７２】
このような仮段板１２を用いて構成されたストリップ階段１を、上階の開口部の足場および上階と下階との昇降手段として設置することで、ストリップ階段１付近の下階の壁面Ｂを、容易に施工することができるので、住宅の施工作業を効率良く進めることができる。
【００７３】
なお、本発明に用いたストリップ階段１は、踊場に相当する場所に設置することも可能であることは言うまでもない。
【図面の簡単な説明】
【００７４】
【図１】本発明のストリップ階段の取付構造の一例を示す斜視図である。
【図２】ささら桁及び踏み板の組み合わせ例を示す図であり、（ａ）はささら桁の要部を示す斜視図であり、（ｂ）は踏み板を示す斜視図であり、（ｃ）はささら桁と踏み板との係合状態を示す斜視図である。
【図３】ささら桁及び踏み板の組み合わせ例を示す図であり、（ａ）はささら桁の要部を示す斜視図であり、（ｂ）は踏み板を示す斜視図であり、（ｃ）はささら桁と踏み板との係合状態を示す斜視図である。
【図４】ストリップ階段の取付構造を示す側面図である。
【図５】ささら受け体と突出部の固定方法を示す斜視図である。
【図６】ささら桁下面の凹部とささら桁位置決め用の受け材との固定構造を示す側面図である。
【図７】ささら桁カバーを示す図であり、（ａ）はささら桁カバーを展開した平面図であり、（ｂ）はささら桁カバーをささら桁に被せた際の断面図であり、（ｃ）は折の部の構造を示した概略図である。
【図８】段板カバーを示す図であり、（ａ）は段板カバーを展開した平面図であり、（ｂ）は段板カバーを段板に被せた際の概略図である。
【図９】仮段板をささら桁に設置した際の概略図である。
【符号の説明】
【００７５】
１  ストリップ階段
２  ささら桁
３  段板支持部材
４  段板
６  受け材
９  ささら桁カバー
Ａ  床面
Ｆ  フローリング材
ｔ  厚み
ｇ  すき間
【図１】
2005256300.tif 000003
【図２】
2005256300.tif 000004
【図３】
2005256300.tif 000005
【図４】
2005256300.tif 000006
【図５】
2005256300.tif 000007
【図６】
2005256300.tif 000008
【図７】
2005256300.tif 000009
【図８】
2005256300.tif 000010
【図９】
2005256300.tif 000011